(57)【特許請求の範囲】
【請求項１】
ズームレンズ本体から延設された操作棒の押し引き操作によってズームレンズのズーム操作を行うテレビカメラ用ズームレンズの操作装置において、
前記操作装置には、前記操作棒の押し引き方向の両方向の移動を規制するとともにその規制を解除可能な規制手段が設けられていることを特徴とするテレビカメラ用ズームレンズの操作装置。
【請求項２】
前記操作装置は、前記操作棒の回転操作によって前記ズームレンズのフォーカス操作を行う１軸２操作式の操作装置であって、前記規制手段は、前記回転操作時に前記操作棒の押し引き方向の両方向の移動を規制することを特徴とする請求項１記載のテレビカメラ用ズームレンズの操作装置。
【請求項３】
前記操作棒は、前記ズームレンズの望遠位置に相当する押し込んだ位置でその押し引き方向の両方向の移動が前記規制手段によって規制されることを特徴とする請求項１、又は２記載のテレビカメラ用ズームレンズの操作装置。
【請求項４】
前記規制手段は、前記ズームレンズ本体、該ズームレンズ本体が取り付けられるカメラ本体、又はズームレンズ本体とカメラ本体とが支持される支持部材に設けられていることを特徴とする請求項１、２又は３記載のテレビカメラ用ズームレンズの操作装置。
【発明の詳細な説明】
【０００１】
【発明の属する技術分野】
本発明は、操作棒を有する１軸２操作式の操作装置によってズーム操作及びフォーカス操作を行うテレビカメラ用ズームレンズの操作装置に関する。
【０００２】
【従来の技術】
従来、放送用テレビカメラに使用される箱型のズームレンズ装置（ＥＦＰレンズ）において、ズーム操作やフォーカス操作等のレンズ操作を手動で行うものと電動で行うものとがある。手動で行うものとして、１軸２操作式と呼ばれる操作方式は、ズームレンズ本体から延設された操作棒の押し引きでズーム操作を行い、操作棒の回転でフォーカス操作を行うものである。１軸２操作式の操作は、操作棒の押し引き位置によってズーム位置の見当がつき、また、迅速なズーム操作が可能であるためスポーツ中継等のように瞬時の画角調整が要求される撮影において多く使用されている。
【０００３】
一方、レンズ操作を電動で行うものとしては、ズームレートデマンドやフォーカスポジションデマンド等の専用のコントローラからの指令信号によりサーボモータを駆動し、その駆動力によってズームレンズやフォーカスレンズを駆動させるサーボ方式と呼ばれる操作方式が知られている。ドラマ撮影のようにスローなズーム操作が要求される撮影の場合には、このサーボ方式が多く使用されている。また、サーボ方式の場合には、ズームレンズをスムーズに止めたり、元のズーム位置に戻したりする場合に有利である。
【０００４】
従来、このような１軸２操作式の手動操作方式及びサーボ方式のいずれの方式でも撮影状況やカメラマンの好みに応じて選択できるようにするため、１台のズームレンズ装置に手動操作方式とサーボ方式の両方の駆動機構を設けたものが提案されている（実公昭６０−２７３６６号公報）。
【０００５】
【発明が解決しようとする課題】
しかしながら、実公昭６０−２７３６６号公報等に開示された従来の操作方式選択型のズームレンズ操作装置は、ズーム操作をズームレートデマンドで行い、フォーカス操作を操作棒の回転で行うと選択すると、フォーカス操作を行う際に操作棒が押し引き方向に動くので、微妙なフォーカス操作が難しいという欠点があった。
【０００６】
本発明はこのような事情に鑑みてなされたもので、フォーカス操作の容易なテレビカメラ用ズームレンズの操作装置を提供することを目的とする。
【０００７】
【課題を解決するための手段】
本発明は、前記目的を達成するために、ズームレンズ本体から延設された操作棒の押し引き操作によってズームレンズのズーム操作を行うテレビカメラ用ズームレンズの操作装置において、前記操作装置には、前記操作棒の押し引き方向の両方向の移動を規制するとともにその規制を解除可能な規制手段が設けられていることを特徴としている。
【０００８】
請求項１記載の発明によれば、ズームレンズをフォーカス操作する場合、操作棒が押し引き方向に移動しないように規制手段によってその移動を規制する。これにより、フォーカス調整時において、操作棒は押し引き方向に移動しないので、フォーカス操作が容易になる。
【０００９】
請求項２記載の発明は、１軸２操作式の操作装置を対象とし、斯かる操作装置は、操作棒を回転させてフォーカス操作を行うので、この場合、操作棒を前記規制手段によって押し引き方向の移動を規制しておくと、微妙なフォーカス操作を行うことができる。
【００１０】
請求項３記載の発明は、操作棒をズームレンズの望遠位置に相当する押し込んだ位置で、操作棒の押し引き方向の移動を前記規制手段によって規制した。このように望遠位置で操作棒の移動を規制すると、望遠位置は広角位置と比較して焦点を正確に合わせることを要求されるので、広角位置で操作棒の移動を規制するよりも有効的である。また、操作棒を押し込んだ位置でその移動を規制しているので、操作棒がカメラマンの操作に邪魔になることはない。
【００１１】
請求項４記載の発明は、規制手段の設置位置を規定したものであり、その設置位置は、ズームレンズ本体、ズームレンズ本体が取り付けられるカメラ本体、又はズームレンズ本体とカメラ本体とが支持される支持部材でもよい。
【００１２】
【発明の実施の形態】
以下添付図面に従って本発明に係るテレビカメラ用ズームレンズの操作装置の好ましい実施の形態について詳述する。
【００１３】
図１は、本発明のテレビカメラ用ズームレンズの操作装置が適用されたテレビカメラシステム１０の全体構成を示した斜視図である。同図のテレビカメラシステム１０は、１軸２操作式の操作方式と、１軸２操作式ではないズームレートデマンド及びフォーカスポジションデマンドの操作方式のいずれかを選択し、その選択した操作方式によりズーム操作及びフォーカス操作を行うことを可能としたものである。
【００１４】
テレビカメラシステム１０は、主としてズームレンズ装置１２、及びカメラ本体１４から構成され、ズームレンズ装置１２は、雲台２２に載置されたカメラ本体１４の正面側に装着される。ズームレンズ装置１２の背面側（カメラ本体１４に装着される面）には操作棒１６が設置され、その操作棒１６は、カメラ本体１４に形成された操作棒挿通孔１４Ａ、及びカメラ本体１４の背面側に取り付けられた指当て部材１５を貫通してカメラ本体１４の背面側に延設される。カメラマンは、カメラ本体１４のビューファインダ２０に映る映像を見ながら、この操作棒１６のグリップ１８を把持して操作棒１６を押し引き操作することでズーム操作を行うことができ、また、グリップ１８を回転操作し、操作棒１６の軸を回転させることでフォーカス操作を行うことができる。なお、操作棒１６はズームレンズ装置１２に対して着脱自在になっている。また、カメラマンが操作棒１６を押し込んでいくと、カメラマンの指が指当て部材１５に当たるので、指当て部材１５は、操作棒１６の押し込み量を規制する部材として機能する。
【００１５】
１軸２操作式の操作棒１６とは異なるズーム操作部材及びフォーカス操作部材で操作を行う場合には、雲台２２から延設されたパンチルト棒２４Ａ、２４Ｂの先端にズームレートデマンド２６とフォーカスポジションデマンド２８が設置される。ズームレートデマンド２６及びフォーカスポジションデマンド２８からは、ズーム速度を指令するズーム速度指令信号とフォーカス位置を指令するフォーカス位置指令信号が出力され、これらの指令信号はケーブルを介してズームレンズ装置１２に送信される。カメラマンは、ズームレートデマンド２６のサムリング２６Ａを親指で回動操作することによりズーム操作を行うことができ、フォーカスポジションデマンド２８のフォーカスノブ２８Ａを回動操作することでフォーカス操作を行うことができる。
【００１６】
図２は、ズームレンズ装置１２の全体構成図である。このズームレンズ装置１２は、主としてレンズ鏡胴３０、１軸２操作式の操作ユニット３２、ズーム駆動切換用のクラッチ部３４、制御回路３６、及び前述したズームレートデマンド２６及びフォーカスポジションデマンド２８から構成されている。
【００１７】
レンズ鏡胴３０には、前方から順にフォーカスレンズ４０、バリエータレンズ４２Ａ、コンペンセータレンズ４２Ｂのズーム系レンズ４２、及びマスターレンズ４４が配置される。フォーカスレンズ４０は、その支持枠４０Ａにリードスクリュー４６が螺合しており、サーボモータが内蔵されているフォーカスサーボモジュール４８の回転出力部４８Ａから回転入力部５０、プーリー５２、歯付きベルト５４及びプーリー５６を介してリードスクリュー４６に回転駆動力が伝達されると、光軸方向に沿って前後動するようになっている。なお、歯付きベルト５４等により、フォーカスサーボモジュール４８からリードスクリュー４６までの動力伝達系はバックラッシなしで回転駆動力を伝達できるようになっている。
【００１８】
リードスクリュー４６にはフォーカス位置センサ５８が設けられており、このフォーカス位置センサ５８は、リードスクリュー４６の回転量（フォーカスレンズ４０のフォーカス位置）を検出し、そのフォーカス位置を示す信号を制御回路３６に出力する。
【００１９】
ズーム系レンズ４２のバリエータレンズ４２Ａ及びコンペンセータレンズ４２Ｂは、これらの支持枠に植設されたカムピン４２Ｃ、４２Ｄがズームカム６０のカム溝６０Ａ、６０Ｂに係合しており、クラッチ部３４を介してズームカム６０が回動すると、これらのバリエータレンズ４２Ａ及びコンペンセータレンズ４２Ｂがカム溝６０Ａ、６０Ｂで規制される位置関係により光軸に沿って前後動する。ズームカム６０には、ズーム位置センサ６２が設けられており、このズーム位置センサ６２は、ズームカム６０の回転位置（ズーム系レンズ４２のズーム位置）を検出し、そのズーム位置を示す信号を制御回路３６に出力する。
【００２０】
操作ユニット３２の操作棒１６は、回転自在に軸支された中空軸６４の内部に摺動自在に挿入されている。中空軸６４には、長手方向にキー溝６４Ａが形成されており、操作棒１６の先端に固着されたピン６６がキー溝６４Ａに係合している。したがって、操作棒１６が回転操作されると、これに連動して中空軸６４が回転する。
【００２１】
なお、中空軸６４の一端側にはピン６４Ｂが配設されており、このピン６４Ｂは、所定量回転するとストッパ６８に当接する。これにより、中空軸６４（操作棒１６）の回転範囲が規制される。また、中空軸６４の他端側には、フォーカス用位置センサ７０が設けられ、このフォーカス用位置センサ７０は、中空軸６４の回転位置（フォーカス位置）を検出し、そのフォーカス位置を示すフォーカス位置指令信号を制御回路３６に出力する。
【００２２】
一方、中空軸６４には、移動枠７２が軸方向に移動自在に挿通され、操作棒１６のピン６６の先端は、その移動枠７２の内周に形成された周方向の溝７２Ａと係合している。移動枠７２には、ワイヤ巻付部８０に所定量巻き付けられるとともに、プーリー７３、７４、７５及び７６を介して張設されたワイヤ７８の両端部が固着されている。したがって、操作棒１６を押し引き操作すると、これに連動してワイヤ７８が移動し、ワイヤ巻付部８０が回転する。
【００２３】
クラッチ部３４は、主として支軸８２を中心に回転自在に配設された第１のプーリー８４と、この第１のプーリー８４と一体形成された支軸８４Ａにそれぞれ回転自在に配設されたワイヤ巻付部８０及び第２のプーリー８６と、支軸８４Ａの軸方向に移動自在に配設された移動リング８８と、この移動リング８８を移動させる切換ツマミ９０等から構成される。
【００２４】
ワイヤ巻付部８０には、前述したように操作ユニット３２の操作棒１６を押し引き操作によって移動するワイヤ７８により回転駆動力が加えられるようになっている。第２のプーリー８６には、サーボモータが内蔵されているズームサーボモジュール９２の回転出力部９２Ａから回転入力部９３、プーリー９５、及び歯付きベルト９７を介して回転駆動力が加えられるようになっている。なお、上記歯付きベルト９７等により、ズームサーボモジュール９２から第２のプーリー８６までの動力伝達系はバックラッシなしで回転駆動力を伝達できるようになっている。
【００２５】
一方、移動リング８８には、キー８８Ａが設けられており、このキー８８Ａは、支軸８４Ａの長手方向に形成されたキー溝８４Ｂと係合している。また、移動リング８８は、支軸８４Ａの軸方向に移動することによりワイヤ巻付部８０又は第２のプーリー８６と係合できるようになっている。即ち、移動リング８８の図２上右側面には、１本のテーパーピン８９が植設されており、ワイヤ巻付部８０の左側面には、テーパーピン８９と係合する１つのテーパー孔が穿設されている。また、移動リング８８と第２のプーリー８６との係合部は、移動リング８８の左側面に設けられた歯付きギア８７Ａと、第２のプーリー８６の右側面に設けられた歯付きギア８７Ｂとによって構成されている。そして、これらの歯付きギア８７Ａと８７Ｂとは、バックラッシなしで、かつ歯のピッチに応じた複数の回転位置で噛み合うことができる。したがって、ワイヤ巻付部８０又は第２のプーリー８６から移動リング８８に回転駆動力が伝達され、移動リング８８が回転すると、これに連動して支軸８４Ａ、及び第１のプーリー８４が回転する。
【００２６】
第１のプーリー８４が回転すると、その回転駆動力は、第１のプーリー８４から歯付きベルト８３を介してズームカム６０に固定されたプーリー８５にバックラッシなしで伝達される。これによりズームカム６０が回動し、ズーム系レンズ４２が駆動される。
【００２７】
移動リング８８を移動させるための切換ツマミ９０は、その切換ツマミ９０の軸にギア９１が固定されており、このギア９１の偏心した位置にはベアリング９４が設けられている。なお、ベアリング９４は、移動リング８８の外周に形成された溝８８Ｂに当接し、移動リング８８の回転に伴って回転できるようになっている。
【００２８】
また、ギア９１にはギア９６が噛み合っており、このギア９６には、ギア９６の回動位置（切換ツマミ９０の回動位置）に応じてコイルバネ９８により常時、時計回り方向（ＣＷ方向）又は反時計回り方向（ＣＣＷ方向）に付勢力が加えられるようになっている。なお、符号９９は、ギア９６と共に回転する突起部（不図示）によって動作する切換スイッチであり、この切換スイッチ９９は、ズーム操作が１軸２操作式の手動側に切り換えられたか、サーボ側に切り換えられたかを検出する。即ち、切換スイッチ９９は、移動リング８８がワイヤ巻付部８０と係合する状態ではスイッチＯＮとなり、手動側に切り換えられたことを示す信号を制御回路３６に出力し、移動リング８８が第２のプーリー８６と係合する状態ではスイッチＯＦＦとなり、サーボ側に切り換えられたことを示す信号を制御回路３６に出力する。
【００２９】
制御回路３６には、前述したようにフォーカス位置センサ５８及びズーム位置センサ６２からそれぞれ現在のフォーカス位置及びズーム位置を示す信号が加えられ、ズームレートデマンド２６及びフォーカスポジションデマンド２８からは、ズーム速度を指令するズーム速度指令信号とフォーカス位置を指令するフォーカス位置指令信号が加えられ、操作ユニット３２に設けたフォーカス用位置センサ７０からは、フォーカス位置を示すフォーカス位置指令信号が加えられている。また、切換スイッチ９９からは、ズーム操作が１軸２操作式の手動側に切り換えられたか、サーボ側に切り換えられたかを示す信号が加えられている。
【００３０】
制御回路３６は、切換スイッチ９９からズーム操作が１軸２操作式の手動側に切り換えられたことを示す信号を入力すると、ズームレートデマンド２６及びフォーカスポジションデマンド２８からの入力信号を無効とし、フォーカス用位置センサ７０からの入力信号を有効とする。
【００３１】
したがって、操作棒１６を回転操作すると、制御回路３６にはフォーカス用位置センサ７０から操作棒１６（中空軸６４）の回転位置（フォーカス位置）を示すフォーカス位置指令信号が加えられ、制御回路３６は、このフォーカス位置指令信号と、フォーカス位置センサ５８から加えられる現在のフォーカス位置を示す信号とに基づいてフォーカスサーボモジュール４８に制御信号を出力し、フォーカスレンズ４０がフォーカス位置指令信号に応じたフォーカス位置になるようにサーボ制御する。
【００３２】
また、切換スイッチ９９からズーム操作が１軸２操作式の手動側に切り換えられたことを示す信号を入力している場合には、移動リング８８はワイヤ巻付部８０と係合している。したがって、操作棒１６を押し引き操作すると、ワイヤ７８を介してワイヤ巻付部８０が回転する。このワイヤ巻付部８０の回転駆動力は、ワイヤ巻付部８０と係合している移動リング８８、移動リング８８のキー８８Ａ、及びキー溝８４Ｂを介して第１のプーリー８４に伝達され、更に第１のプーリー８４から歯付きベルト８３を介してプーリー８５及びズームカム６０に伝達される。これによりズームカム６０が回動し、ズーム系レンズ４２が手動駆動される。
【００３３】
一方、制御回路３６は、切換スイッチ９９からズーム操作がサーボ側に切り換えられたことを示す信号を入力すると、ズームレートデマンド２６及びフォーカスポジションデマンド２８からの入力信号を有効とし、フォーカス用位置センサ７０からの入力信号を無効とする。
【００３４】
したがって、ズームレートデマンド２６の操作に基づいてズームレートデマンド２６からズーム速度指令信号を入力すると、制御回路３６は、このズーム速度指令信号と、ズーム位置センサ６２から加えられる現在のズーム位置を示す信号とに基づいてズームサーボモジュール９２に制御信号を出力し、ズームサーボモジュール９２を駆動する。
【００３５】
このズームサーボモジュール９２の回転駆動力は、回転出力部９２Ａから回転入力部９３、プーリー９５、及び歯付きベルト９７を介して第２のプーリー８６に伝達される。また、切換スイッチ９９からズーム操作がサーボ側に切り換えられたことを示す信号を入力している場合には、移動リング８８は第２のプーリー８６と係合しているため、第２のプーリー８６に伝達された回転駆動力は、第２のプーリー８６と係合している移動リング８８、移動リング８８のキー８８Ａ、及びキー溝８４Ｂを介して第１のプーリー８４に伝達され、更に第１のプーリー８４から歯付きベルト８３、歯付きベルト８３、プーリー８５及びズームカム６０に伝達される。これによりズームカム６０が回動し、ズーム系レンズ４２がサーボ駆動される。
【００３６】
また、フォーカスポジションデマンド２８の操作に基づいてフォーカスポジションデマンド２８からフォーカス位置指令信号を入力すると、制御回路３６は、このフォーカス位置指令信号と、フォーカス位置センサ５８から加えられる現在のフォーカス位置を示す信号とに基づいてフォーカスサーボモジュール４８に制御信号を出力し、フォーカスレンズ４０がフォーカス位置指令信号に応じたフォーカス位置になるようにサーボ制御する。
【００３７】
更に、制御回路３６は、切換スイッチ９９からズーム操作が１軸２操作式の手動側に切り換えられたことを示す信号を入力している場合において、断線等によってフォーカス用位置センサ７０からフォーカス位置指令信号を受入できないときには、自動的にフォーカスポジションデマンド２８からのフォーカス位置指令信号を有効とし、フォーカスポジションデマンド２８によるフォーカス制御を可能にしている。同様に、切換スイッチ９９からズーム操作がサーボ側に切り換えられたことを示す信号を入力している場合において、フォーカスポジションデマンド２８の未装着あるいは断線等によりフォーカスポジションデマンド２８からフォーカス位置指令信号を受入できないときには、自動的にフォーカス用位置センサ７０からのフォーカス位置指令信号を有効とし、操作棒１６によるフォーカス制御を可能にしている。
【００３８】
図３は、本発明の規制手段に相当する操作棒ロック機構１００の第１の実施の形態を示す拡大斜視図である。
【００３９】
操作棒ロック機構１００は、図１、図３に示すように、カメラ本体１４の背面に設けられた指当て部材１５に近接した位置に取り付けられており、操作棒１６に係合するフック１０２、及びフック１０２を操作棒１６に対する係合（規制）方向及び係合解除（規制解除）方向に付勢する板ばね１０４から構成される。
【００４０】
フック１０２は、図３の如く左下隅部に設けられたピン１０６を介してカメラ本体１４に回動自在に取り付けられている。また、フック１０２の上部右側部には、操作棒１６の小径部（溝）１７に嵌合する凹状溝１０３が形成され、この溝１０３を小径部１７に嵌合させることにより、操作棒１６は押し引き方向の移動が規制されてロックされる。
【００４１】
フック１０２の溝１０３と小径部１７とは、カメラ本体１４の背面と指当て部材１５とで挟まれた空間部１０８において嵌合され、これにより、グリップ１８を把持したカメラマンの指が、小径部１７に嵌合しているフック１０２に接触して不用意にロック解除されないようになっている。また、操作棒１６の小径部１７は、グリップ１８に近接した位置に形成される。これにより、操作棒１６は、ズーム系レンズ４２（図２参照）の望遠位置に相当する押し込んだ位置でその押し引き方向の移動がフック１０２によって規制される。
【００４２】
板ばね１０６は、図３の如く基端部がクランプ部材１０９によって挟持されるとともにクランプ部材１０９に設けられたねじ１１０によってカメラ本体１４の背面に取り付けられている。板ばね１０６の先端部には、図３においてフック１０２の底面部１０２Ａが押圧当接され、これにより、フック１０２が板ばね１０４の付勢力によって図３上実線で示す規制解除位置を保持するように付勢される。また、フック１０２がピン１０６を支点として図３上時計回り方向に回動され、溝１０３が小径部１７に嵌合した状態では、フック１０２の下部右側面部１０２Ｂが板ばね１０４に押圧当接される。これにより、フック１０２は、板ばね１０４の付勢力によって規制位置を保持するように付勢される。このように板ばね１０４は、フック１０２に規制解除位置と規制位置との２つの位置を保持させることができる。
【００４３】
したがって、斯かる構成の操作棒ロック機構１００によれば、操作棒１６を回転させてズームレンズ装置１２をフォーカス操作する場合、操作棒１６が押し引き方向に移動しないように、操作棒ロック機構１００で操作棒１６の移動をロックする。即ち、操作棒ロック機構１００のフック１０２の溝１０３を、操作棒１６の小径部１７に嵌合させる。これにより、フォーカス調整時において、操作棒１６は押し引き方向に移動しないので、フォーカス操作が容易になり、また、微妙なフォーカス操作も行うことができる。
【００４４】
更に、操作棒ロック機構１００では、操作棒１６をズーム系レンズ４２の望遠位置に相当する押し込んだ位置でその押し引き方向の移動を規制する。このように望遠位置で操作棒１６の移動をロックすると、望遠位置は広角位置と比較して焦点を正確に合わせることを要求されるので、広角位置で操作棒１６の移動を規制するよりも有効的である。また、操作棒１６を押し込んだ位置でその移動をロックしているので、操作棒１６がカメラマンの操作に邪魔になることはない。なお、操作棒１６の移動ロック位置は、前記望遠位置に限定されるものではなく、押し引き操作の範囲内で設定することができるが、望遠位置に設定することが前記理由で好ましい。
【００４５】
図４は、図３に示した構造の操作棒ロック機構１００を、ズームレンズ装置１２の本体の側面に形成された凹部１３に配置した実施例である。
【００４６】
ズームレンズ装置１２は、カメラ本体に取り付けられるマウント部１２Ａの側面に縦方向の凹部１３が形成され、操作棒１６はマウント部１２Ａに形成された挿通孔１２Ｂから凹部１３に挿通され、そして、凹部１３の側面に形成された挿通孔１３Ａを介して本体の内部に配設される。本例は、その凹部１３を利用して、即ち、デッドスペースの凹部１３を利用して操作棒ロック機構１００を配置したので、ズームレンズ装置１２が大型にならず、また、外観上の見映えもよくなる。
【００４７】
図５、図６は、本発明の規制手段に相当する操作棒ロック機構１２０の第２の実施の形態を示す図である。
【００４８】
同図に示す操作棒ロック機構１２０は、ズームレンズ装置１２に内蔵されるもので、移動枠７２に取り付けられた遮光板１２２、フォトセンサ１２４、モータ１２６、ストッパ１２８、２個のスイッチ１３０、１３２、メインスイッチ１３４、及び制御回路部１３６から構成される。
【００４９】
遮光板１２２は、図５の如く操作棒１６と共に移動する移動枠７２の側面に突設され、また、略コ字形のフォトセンサ１２４は、操作棒１６が望遠位置（ストロークエンド）に押し込まれた時に遮光板１２２を検出する位置に取り付けられている。フォトセンサ１２４からの遮光板１２２を検出したことを示す信号は、図６の制御回路部１３６に出力される。そして、制御回路部１３６は、前記信号が出力されると、モータ１２６を駆動させて、ストッパ１２８を移動枠７２との当接位置に進出移動させる。
【００５０】
即ち、モータ１２６の出力軸にはギア１３８が連結され、このギア１３８に、ストッパ１２８に形成されたギア１２９が噛合されている。ストッパ１２８は、回転軸１４０に回動自在に支持されている。したがって、ストッパ１２８は、モータ１２６によってギア１３８が反時計回り方向に回動されることにより、図５上二点鎖線で示した退避位置から時計回り方向に回動され、図５上実線で示した進出位置に位置される。
【００５１】
ストッパ１２８が進出位置に位置したところで、スイッチ１３０がストッパ１２８に押されて閉じる。スイッチ１３０が閉じると、制御回路部１３６はモータ１２６を停止するよう制御する。これにより、ストッパ１２８が進出位置に位置した状態で保持されるので、操作棒１６は広角（Ｗ）方向の移動が移動枠７２を介してストッパ１２８により規制される。なお、この時、操作棒１６は、望遠（Ｔ）方向のストロークエンドに押し込まれた位置でストッパ１２８で保持されているので、Ｔ方向には動かない。よって、操作棒１６は、ストッパ１２８によってその移動が規制された状態となっている。
【００５２】
一方、ストッパ１２８による移動規制を解除する場合には、メインスイッチ１３４をＯＦＦにする。このメインスイッチ１３４は、カメラマンが容易に操作できるように、図７の如くパンチルト棒２４Ａに取り付けておくのが好ましい。メインスイッチ１３４がＯＦＦになると、図６の制御回路部１３６はモータ１２６を時計回り方向に回転するよう制御する。これにより、ストッパ１２８は、図５上実線で示した進出位置から反時計回り方向に回動され、図５上二点線鎖線で示した退避位置に位置される。
【００５３】
ストッパ１２８が退避位置に位置したところで、スイッチ１３２がストッパ１２８に押されて閉じる。スイッチ１３０が閉じると、制御回路部１３６はモータ１２６を停止するよう制御する。これにより、ストッパ１２８が退避位置に位置した状態で保持されるので、操作棒１６の押し引き操作を自由に行うことができる。
【００５４】
図８は、雲台２２に取り付けられたレンズサポータ（支持部材）１５０の指当て部材１５２に、図３の操作棒ロック機構１００を取り付けた実施例である。
【００５５】
レンズサポータ１５０は、ＥＦＰ用レンズのような重量物のズームレンズ装置１２を、ＥＮＧカメラ等のハンディ型テレビカメラ本体１５４に取り付ける場合に使用されるものであり、レンズサポータ１５０に立設されたマウント枠１５６を挟んでズームレンズ装置１２、カメラ本体１５４が取り付けられ、ズームレンズ装置１２の重量をマウント枠１５６で受けている。指当て部材１５２は、レンズサポータ１５０の後部に立設されたプレート１５８に一体、又は別体で設けられている。なお、符号１６０は、ズームレンズ装置１２に対するカメラ本体１５４の高さを調整するための調整部材である。
【００５６】
図９は、ズームカム６０のカム軸６１とクラッチ部３４の支軸８２とを同軸上に連結したズームレンズ装置の構造図を示し、図２に示したズームレンズ装置１２と同一若しくは類似の部材については同一の符号を付してその説明は省略する。
【００５７】
図９に示すクラッチ部３４は、支軸８２にワイヤ巻付部８０、第２のプーリー８６がぞれぞれ軸受１６２、１６２を介して回動自在に取り付けられるとともに、移動リング８８が支軸８２の軸方向に移動自在に支持されて構成される。そして、支軸８２の図９上左端部に、ズームカム６０のカム軸６１が支軸８２と同軸上に連結されている。
【００５８】
このように、カム軸６１と支軸８２とを同軸上に連結すると、支軸８２でカム軸６１を直接駆動することができるので、図２のズームレンズ装置１２のように支軸８４Ａの回転力をズームカム６０に伝達するための歯付きベルト８３が不要になる。図２の如く歯付きベルト８３を設けると、歯付きベルト８３を張設するための所定の張力を歯付きベルト８３を付与しなければならないため、その張力で操作棒１６の押し引き装置時（１軸操作時）の作動が悪くなったり重くなったりする場合があるが、図９の構造では、歯付きベルト８３が不要なので、１軸操作時の作動感を改善することができる。
【００５９】
【発明の効果】
以上説明したように本発明に係るテレビカメラ用ズームレンズの操作装置によれば、ズームレンズをフォーカス操作する際に、操作棒が押し引き方向に移動しないように規制手段によってその移動を規制したので、フォーカス操作が容易になる。また、操作装置が１軸２操作式の操作装置の場合には、操作棒を回転させてフォーカス操作を行うので、操作棒を前記規制手段によって押し引き方向の移動を規制しておくと、微妙なフォーカス操作を行うことができる。
【図面の簡単な説明】
【図１】本発明のテレビカメラ用ズームレンズの操作装置が適用されたテレビカメラシステム全体の構成を示した斜視図
【図２】図１に示したズームレンズ装置の内部構成図
【図３】操作棒の移動を規制する操作棒ロック機構の第１の実施の形態を示す斜視図
【図４】図３の操作棒ロック機構がズームレンズ本体の凹部に配置された例を示す図
【図５】操作棒ロック機構の第２の実施の形態を示す斜視図
【図６】図５の操作棒ロック機構の制御系を示すブロック図
【図７】図５の操作棒ロック機構のメインスイッチをパンチルト棒に取り付けた図
【図８】図３の操作棒ロック機構がレンズサポータに取り付けられた例を示す図
【図９】ズームレンズ装置のカム軸とクラッチ部の支軸とが同軸上に配置された構造図
【符号の説明】
１０…テレビカメラシステム、１２…ズームレンズ装置、１４…カメラ本体、１６…操作棒、２６…ズームレートデマンド、２８…フォーカスポジションデマンド、３０…レンズ鏡胴、３２…操作ユニット、３４…クラッチ部、３６…制御回路、１００…操作棒ロック機構、１０２…フック
【図１】
0004370643.tif 000002
【図２】
0004370643.tif 000003
【図３】
0004370643.tif 000004
【図４】
0004370643.tif 000005
【図５】
0004370643.tif 000006
【図６】
0004370643.tif 000007
【図７】
0004370643.tif 000008
【図８】
0004370643.tif 000009
【図９】
0004370643.tif 000010